(57)【要約】【課題】動画像を撮像可能なカメラにおいて、動画像再生時にレンズが移動する動作音が不快音として認識されないようにすること。【解決手段】被写界の動画像を撮像する撮像部（１０）と、動画像撮像時の音声を集音する集音部（２０）と、撮像部が撮像した動画像データ及び集音部が集音した音声データが記録される記録部（４０）とを有するカメラ（１００）において、動作信号検出手段によりズーム調整などに基づきレンズ（１１）が移動する動作に関する動作信号が検出された場合に、効果音出力制御手段により音声情報記憶部（８２）に記憶された音声情報に基づく効果音を効果音出力部（３０）から出力し、集音部がその効果音を、被写界の動画像撮像時の音声とともに集音する構成にした。【選択図】    図１
2004274105.tif 000002
【特許請求の範囲】
【請求項１】
レンズを移動させるレンズ駆動部を有し、被写界の動画像を撮像する撮像部と、前記被写界の動画像撮像時の音声を集音する集音部と、前記撮像部が撮像した動画像データ及び前記集音部が集音した音声データが記録される記録部とを有するカメラであって、
所定の効果音の音声情報を記憶している音声情報記憶部と、
前記音声情報記憶部に記憶された音声情報に基づく効果音を出力する効果音出力部と、
前記レンズが移動する動作に関する動作信号を検出する動作信号検出手段と、
前記動作信号検出手段が検出した動作信号に基づき、前記効果音出力部から効果音を出力させる効果音出力制御手段と、
を備えることを特徴とするカメラ。
【請求項２】
前記集音部は、前記被写界の動画像撮像時の音声とともに、前記効果音出力部から出力される効果音を集音し、
前記記録部は、前記撮像部が撮像した動画像データと、前記集音部が集音した音声データとを同期させて記録することを特徴とする請求項１に記載のカメラ。
【請求項３】
レンズを移動させるレンズ駆動部を有し、被写界の動画像を撮像する撮像部と、前記被写界の動画像撮像時の音声を集音する集音部と、前記撮像部が撮像した動画像データ及び前記集音部が集音した音声データが記録される記録部とを有するカメラであって、
所定の効果音の音声情報を記憶している音声情報記憶部と、
前記レンズが移動する動作に関する動作信号を検出する動作信号検出手段と、
前記動作信号検出手段が動作信号を検出している間の動画像データに対応する音声データとして、前記音声情報記憶部に記憶された音声情報に基づく効果音データを前記記録部に記録させる音声データ記録制御手段と、
を備えることを特徴とするカメラ。
【請求項４】
前記音声データ記録制御手段は、前記集音部が集音した音声データと、前記音声情報記憶部に記憶された音声情報に基づく効果音データとを入れ替えて、前記記録部に記録することを特徴とする請求項３に記載のカメラ。
【請求項５】
レンズを移動させるレンズ駆動部を有し、被写界の動画像を撮像する撮像部と、前記被写界の動画像撮像時の音声を集音する集音部と、前記撮像部が撮像した動画像データ及び前記集音部が集音した音声データが記録される記録部とを有するカメラであって、
前記レンズが移動する動作に関する動作信号を検出する動作信号検出手段と、
前記動作信号検出手段が動作信号を検出している間、前記撮像部と前記集音部の動作を一時停止する一時停止制御手段と、
を備えることを特徴とするカメラ。
【請求項６】
レンズを移動させるレンズ駆動部を有し、被写界の動画像を撮像する撮像部と、前記被写界の動画像撮像時の音声を集音する集音部と、前記撮像部が撮像した動画像データ及び前記集音部が集音した音声データが記録される記録部とを有するカメラであって、
前記レンズが移動する動作に関する動作信号を検出する動作信号検出手段と、
前記動作信号検出手段が動作信号を検出した際に、これまでに前記撮像部が撮像した動画像データ及び前記集音部が集音した音声データを、第１のファイルとして前記記録部へ記録するとともに、前記動作信号検出手段が動作信号を検出しなくなった際に、それから前記撮像部が撮像する動画像データ及び前記集音部が集音する音声データを、第２のファイルとして前記記録部へ記録する別ファイル記録制御手段と、
を備えることを特徴とするカメラ。
【発明の詳細な説明】
【０００１】
【発明の属する技術分野】
本発明は、カメラに係り、詳細には動画像の撮像と音声データの集音とを同時に行うことが可能なカメラに関する。
【０００２】
【従来の技術】
従来より、被写界の動画像及び音声をビデオ撮影して磁気テープやメモリーカード等の記録媒体に画像信号及び音声信号として記録するビデオカメラが普及している。
ビデオカメラにおいて、焦点調整を行ったり、被写界の画角の調整、いわゆるズーム調整を行う場合には、操作部を操作することなどにより、レンズ駆動モータを駆動させて、所望する焦点や画角に応じた所定の位置にレンズを移動させる。このようなズーム調整などをビデオ画像の撮影中に行うと、レンズ駆動モータの駆動音が被写界撮像時の音声とともに音声データとして記録媒体に記録されることとなる。
【０００３】
また、ビデオカメラにおいてビデオ画像の撮影中に、レンズ駆動モータの駆動音などを記録媒体に記録しないように、モータやギアの動作音が発生する操作が操作部において操作されたことに基づいて、その操作が行われている間、音声信号を減衰させる制御を行うことで記録媒体に無録音状態の記録を行うビデオカメラが知られている（例えば、特許文献１参照。）。
【０００４】
【特許文献１】
特開平９−１８６９５６号公報
【０００５】
【発明が解決しようとする課題】
しかしながら、レンズ駆動モータの駆動音が被写界撮像時の音声とともに音声データとして記録媒体に記録されたビデオ画像が再生される際、レンズ駆動モータの駆動音（レンズが移動する動作音）がノイズ、不快音として認識されてしまう問題があった。
また、上記特許文献１に記載されたビデオカメラの場合、ビデオ画像が再生される際に、音声が無録音状態の部分が再生されると、動画像は続けて再生されるもののその部分の音声が途切れることになるので、スピーカーなどの音声出力部に不具合が生じたように認識されてしまう問題があった
【０００６】
本発明の課題は、動画像を撮像可能なカメラにおいて、動画像再生時にレンズが移動する動作音が不快音として認識されないカメラを提供することである。
【０００７】
【課題を解決するための手段】
以上の課題を解決するため、請求項１記載の発明は、レンズを移動させるレンズ駆動部を有し、被写界の動画像を撮像する撮像部と、前記被写界の動画像撮像時の音声を集音する集音部と、前記撮像部が撮像した動画像データ及び前記集音部が集音した音声データが記録される記録部とを有するカメラであって、
所定の効果音の音声情報を記憶している音声情報記憶部と、
前記音声情報記憶部に記憶された音声情報に基づく効果音を出力する効果音出力部と、
前記レンズが移動する動作に関する動作信号を検出する動作信号検出手段と、
前記動作信号検出手段が検出した動作信号に基づき、前記効果音出力部から効果音を出力させる効果音出力制御手段と、
を備えることを特徴とする。
【０００８】
請求項１記載の発明によれば、動作信号検出手段によりレンズが移動する動作に関する動作信号が検出されると、効果音出力制御手段により音声情報記憶部に記憶された音声情報に基づく効果音が効果音出力部から出力される。そして、集音部はその効果音を、被写界の動画像撮像時の音声とともに集音することとなる。
よって、動画像撮影後に、記録部に記録した動画像を再生出力する際、レンズを移動させるためのレンズ駆動部の駆動音は、効果音によって掻き消されることにより、認識できないものとなる。従って、このようなカメラは、レンズを移動させるためのレンズ駆動部の駆動音、レンズが移動する動作音を不快音として認識されないように、動画像再生を行うことができる。
【０００９】
請求項２記載の発明は、請求項１に記載のカメラにおいて、
前記集音部は、前記被写界の動画像撮像時の音声とともに、前記効果音出力部から出力される効果音を集音し、
前記記録部は、前記撮像部が撮像した動画像データと、前記集音部が集音した音声データとを同期させて記録することを特徴とする。
【００１０】
請求項２記載の発明によれば、請求項１に記載の発明と同様の作用を奏するとともに、集音部は、被写界の動画像撮像時の音声とともに効果音出力部から出力される効果音を集音し、記録部は、撮像部が撮像した動画像データと集音部が集音した音声データとを同期させて記録する。
よって、動画像撮影後に、記録部に記録した動画像を再生出力する際、レンズを移動させるためのレンズ駆動部の駆動音が含まれる動画像撮像時の音声には、効果音が被せられるように記録されているので、レンズ駆動部の駆動音は掻き消されるように、認識できないものとなる。従って、このようなカメラは、レンズを移動させるためのレンズ駆動部の駆動音、レンズが移動する動作音を不快音として認識されないように、動画像再生を行うことができる。
【００１１】
請求項３記載の発明は、レンズを移動させるレンズ駆動部を有し、被写界の動画像を撮像する撮像部と、前記被写界の動画像撮像時の音声を集音する集音部と、前記撮像部が撮像した動画像データ及び前記集音部が集音した音声データが記録される記録部とを有するカメラであって、
所定の効果音の音声情報を記憶している音声情報記憶部と、
前記レンズが移動する動作に関する動作信号を検出する動作信号検出手段と、
前記動作信号検出手段が動作信号を検出している間の動画像データに対応する音声データとして、前記音声情報記憶部に記憶された音声情報に基づく効果音データを前記記録部に記録させる音声データ記録制御手段と、
を備えることを特徴とする。
【００１２】
請求項３記載の発明によれば、動作信号検出手段によりレンズが移動する動作に関する動作信号が検出されると、音声データ記録制御手段によりその動作信号が検出されている間の音声データとして、音声情報記憶部に記憶された音声情報に基づく効果音データが記録部に記録される。そして、記録部には、動作信号検出手段によりレンズが移動する動作に関する動作信号が検出されている間は、撮像された動画像データに効果音データがあわせられて記録される。
よって、レンズを移動させるためのレンズ駆動部が駆動した際の撮影時の音声は、効果音と入れ替えられているので、動画像撮影後に、記録部に記録した動画像を再生出力する際、レンズ駆動部の駆動音が出力されることはないので、そのような駆動音は認識できないものとなる。従って、このようなカメラは、レンズを移動させるためのレンズ駆動部の駆動音、レンズが移動する動作音を不快音として認識されないように、動画像再生を行うことができる。
【００１３】
請求項４記載の発明は、請求項３に記載のカメラにおいて、
前記音声データ記録制御手段は、前記集音部が集音した音声データと、前記音声情報記憶部に記憶された音声情報に基づく効果音データとを入れ替えて、前記記録部に記録することを特徴とする。
【００１４】
請求項４記載の発明によれば、請求項３に記載の発明と同様の作用を奏するとともに、音声データ記録制御手段は、集音部が集音した音声データと、音声情報記憶部に記憶された音声情報に基づく効果音データとを入れ替えて、記録部に記録する。
よって、集音部が集音したレンズ駆動部の駆動音が含まれる動画像撮像時の音声は、音声情報記憶部に記憶された音声情報に基づく効果音と入れ替えられているので、動画像撮影後に、記録部に記録した動画像を再生出力する際、レンズ駆動部の駆動音が出力されることはないので、そのような駆動音は認識できないものとなる。従って、このようなカメラは、レンズを移動させるためのレンズ駆動部の駆動音、レンズが移動する動作音を不快音として認識されないように、動画像再生を行うことができる。
【００１５】
請求項５記載の発明は、レンズを移動させるレンズ駆動部を有し、被写界の動画像を撮像する撮像部と、前記被写界の動画像撮像時の音声を集音する集音部と、前記撮像部が撮像した動画像データ及び前記集音部が集音した音声データが記録される記録部とを有するカメラであって、
前記レンズが移動する動作に関する動作信号を検出する動作信号検出手段と、
前記動作信号検出手段が動作信号を検出している間、前記撮像部と前記集音部の動作を一時停止する一時停止制御手段と、
を備えることを特徴とする。
【００１６】
請求項５記載の発明によれば、動作信号検出手段によりレンズが移動する動作に関する動作信号が検出されている間、一時停止制御手段により撮像部と集音部の動作がともに一時停止される。つまり、動作信号検出手段がその動作信号を検出する間の動画像データ及び集音データとは、記録部に記録されないこととなる。
よって、動画像撮影後に、記録部に記録した動画像を再生出力する際、レンズを移動させるためのレンズ駆動部の駆動音が発せられている間の撮像データ（動画像データ、音声データ）はなく、レンズ駆動部の駆動音が出力されることはないので、そのような駆動音は認識できないものとなる。従って、このようなカメラは、レンズを移動させるためのレンズ駆動部の駆動音、レンズが移動する動作音を不快音として認識されないように、動画像再生を行うことができる。
【００１７】
請求項６記載の発明は、レンズを移動させるレンズ駆動部を有し、被写界の動画像を撮像する撮像部と、前記被写界の動画像撮像時の音声を集音する集音部と、前記撮像部が撮像した動画像データ及び前記集音部が集音した音声データが記録される記録部とを有するカメラであって、
前記レンズが移動する動作に関する動作信号を検出する動作信号検出手段と、
前記動作信号検出手段が動作信号を検出した際に、これまでに前記撮像部が撮像した動画像データ及び前記集音部が集音した音声データを、第１のファイルとして前記記録部へ記録するとともに、前記動作信号検出手段が動作信号を検出しなくなった際に、それから前記撮像部が撮像する動画像データ及び前記集音部が集音する音声データを、第２のファイルとして前記記録部へ記録する別ファイル記録制御手段と、
を備えることを特徴とする。
【００１８】
請求項６記載の発明によれば、動作信号検出手段によりレンズが移動する動作に関する動作信号が検出されると、別ファイル記録制御手段によりこれまでに撮像部が撮像した動画像データ及び集音部が集音した音声データを、第１のファイルとして記録部へ記録する。そして、動作信号検出手段によりその動作信号が検出されなくなった際に、それから撮像部が撮像する動画像データ及び集音部が集音する音声データを、第２のファイルとして記録部へ記録する。つまり、動作信号検出手段がその動作信号を検出する前の動画像データ及び集音データと、検出しなくなった後の動画像データ及び集音データとを、別のファイルとして記録部へ記録する。そして、記録部には、動作信号検出手段によりレンズが移動する動作に関する動作信号が検出されている間は、動画像データ及び集音データは記録されず、その前後の動画像データ及び集音データが、別ファイルとして記録される。
よって、動画像撮影後に、記録部に記録した動画像を再生出力する際、個々のファイルを連続して再生出力しても、レンズを移動させるためのレンズ駆動部の駆動音が発せられている間の撮像データ（動画像データ、音声データ）はなく、レンズ駆動部の駆動音が出力されることはないので、そのような駆動音は認識できないものとなる。従って、このようなカメラは、レンズを移動させるためのレンズ駆動部の駆動音、レンズが移動する動作音を不快音として認識されないように、動画像再生を行うことができる。
【００１９】
【発明の実施の形態】
以下、本発明の実施の形態を図１から図１１に基づいて説明する。
〔第１の実施の形態〕
図１は、本発明の第１の実施の形態におけるデジタルカメラの要部構成を示すブロック図である。
図１に示されるように、デジタルカメラ１００は、被写界の画像、特に動画像を撮像する撮像部１０と、被写界の音声を集音する集音部２０と、音声の出力を行う効果音出力部としてのスピーカー３０と、撮像部１０が撮像した動画像のデータ及び集音部２０が集音した音声のデータを記録する記録部４０と、デジタルカメラ１００を操作する操作入力を行う操作部５０と、デジタルカメラ１００に電力を供給するバッテリ６０と、デジタルカメラ１００の動作に関する表示を行う画像表示装置７０と、上記各構成の動作制御を行う制御部８０とを備えている。
【００２０】
撮像部１０は、レンズ１１と、ＣＣＤ１２と、画像処理部１３と、レンズ駆動回路１４と、レンズ駆動部としてのレンズ駆動モータ１５とにより構成されている。
レンズ１１は、ＣＣＤ１２の受光面に被写界の画像を結像する。
ＣＣＤ１２は、受光面に結像された画像に基づく電気信号（アナログ信号）を画像処理部１３に出力する。
画像処理部１３は、ＣＣＤ１２から入力された電気信号（アナログ信号）をＡ／Ｄ変換し、デジタル画像信号にする。そして、画像処理部１３は、そのデジタル画像信号となった動画像データを制御部８０に出力する。
【００２１】
レンズ駆動回路１４は、後述する操作部５０から制御部８０を介して入力される操作信号（レンズ駆動信号）に基づき、レンズ駆動モータ１５にモータ駆動信号を出力する。
レンズ駆動モータ１５は、モータ駆動信号に応じて回転駆動し、レンズ１１を移動させる。そして、レンズ１１は、移動された位置に対応したズーム倍率によって、ＣＣＤ１２の受光面に被写界の画像を結像する
【００２２】
集音部２０は、マイク２１と、音声処理部２２とにより構成されている。
マイク２１は、被写界の音声として入力された音声に基づく電気信号（アナログ信号）を音声処理部２２に出力する。
音声処理部２２は、マイク２１から入力された電気信号（アナログ信号）をアンプ（図示略）で増幅した後、Ａ／Ｄ変換し、デジタル音声信号にする。そして、音声処理部２２は、そのデジタル音声信号となった音声データを制御部８０に出力する。
【００２３】
スピーカー３０は、後述する制御部８０の効果音出力制御手段に基づき、所定の効果音を出力する。
【００２４】
記録部４０は、例えば、カードスロット４１と、カードスロット４１に着脱自在に備えられるメモリーカードＡとにより構成されている。
記録部４０は、画像処理部１３や音声処理部２２から制御部８０を介して入力される動画像データや音声データをメモリーカードＡに記録する。
【００２５】
操作部５０は、撮像動作（記録動作）の開始を指定するレリーズＳＷ（スイッチ）（図示略）、メモリーカードＡに記録された画像の再生を指定する再生ＳＷ（図示略）、画像表示装置７０の表示画面上で入力を行う位置を指定するためのカーソルＳＷ（図示略）、撮像時のズーム倍率を調整するズーム調整ＳＷ５１等を有し、各ＳＷの操作信号（例えば、ズーム調整ＳＷ５１が操作されたことに伴い、撮像部１０のレンズ１１を移動させるためのレンズ駆動信号等）は、制御部８０のＣＰＵ８１に出力される。
【００２６】
バッテリ６０は、例えば、繰り返し使用可能な充電式二次電池であり、電池スロット（図示略）に装着されて、デジタルカメラ１００内の各部に電力を供給する。
【００２７】
画像表示装置７０は、例えば、ＬＣＤ等のディスプレイにより構成されており、制御部８０により入力された表示信号に従って、所定の画面表示、例えば、デジタルカメラ１００の機能モード設定を行う設定入力用画面の表示や、メモリーカードＡに記録された画像の再生表示等を行う。また、画像表示装置７０は、撮像時においては、撮像部１０により撮像された画像を連続的に表示するファインダとしての機能を有する。
【００２８】
制御部８０は、ＣＰＵ８１と、ＥＥＰＲＯＭ８２と、ＲＡＭ８３とで概略構成されている。
ＣＰＵ８１は、ＥＥＰＲＯＭ８２に格納されたデジタルカメラ用の制御プログラムに従って、各種の制御動作を実行する。
【００２９】
ＥＥＰＲＯＭ８２は、電気的に書き換え可能な読み出し専用のメモリで、ＣＰＵ８１によって実行される各種制御プログラムや、各種動作に使用するデータ、情報等を予め記憶、格納している。
本発明においてＥＥＰＲＯＭ８２は、特に、音声情報記憶部８２ａとしての機能を有しており、所定の効果音に関する音声情報が記憶されている音声情報記憶領域が設けられている。また、ＥＥＰＲＯＭ８２は、レンズ１１が移動する動作に関する動作信号を検出するための動作信号検出プログラム８２ｂや、スピーカー３０から効果音を出力するための効果音出力制御プログラム８２ｃ等を格納するプログラム記憶領域が設けられている。
【００３０】
ＲＡＭ８３は、ＣＰＵ８１が上記各種処理プログラムを実行する際に、この各種プログラムをＲＡＭ８３内の図示しないプログラム格納領域に展開するとともに、ＣＰＵ８１が上記各種処理プログラムを実行する際に生じるデータ等を、図示しないデータ格納領域に一時的に格納する。
【００３１】
そして、制御部８０は、撮像部１０における動作信号や、操作部５０における操作信号等に基づく制御、判断等を行い、動作信号検出手段、効果音出力制御手段として機能する。
より具体的に、制御部８０は、動作信号検出プログラム８２ｂに基づき動作信号検出手段として、撮像部１０のレンズ１１が移動する動作に関する動作信号、例えば、レンズ駆動回路１４が出力するモータ駆動信号や、操作部５０においてズーム調整ＳＷ５１が操作されたことに伴う操作信号（レンズ駆動信号）等、を検出する制御動作を行う。
また、制御部８０は、効果音出力制御プログラム８２ｃに基づき効果音出力制御手段として、検出したレンズ１１の移動に関する動作信号に基づき、例えば、その動作信号を検出している間、ＥＥＰＲＯＭ８２に記憶された音声情報に基づく効果音をスピーカー３０から出力させる制御動作を行う。
更に、制御部８０は、画像処理部１３から出力された動画像データと音声処理部２２から出力された音声データを同期させて記録部４０に記録する制御を行う。
【００３２】
次に、前述のように構成されているデジタルカメラ１００の動画像の撮像動作について、図２に基づき説明する。
デジタルカメラ１００により動画像撮影が行われると、撮像部１０が被写界の動画像を撮像するとともに、集音部２０がその動画像撮像時の音声を集音する（ステップＳ１０１）。そして、撮像部１０の画像処理部１３は撮像した動画像に基づくデジタル画像信号（動画像データ）を制御部８０に出力するとともに、集音部２０の音声処理部２２は集音した音声に基づくデジタル音声信号（音声データ）を制御部８０に出力する。制御部８０は、入力された動画像データ及び音声データを同期させて記録部４０のメモリーカードに記録する（ステップＳ１０２）。
このような動画像撮影中、制御部８０が、レンズ１１が移動する動作に関する動作信号を検出しなければ（ステップＳ１０３；ＮＯ）、ステップＳ１０１に戻り、動画像撮影が続けられる。
【００３３】
一方、制御部８０が、レンズ１１が移動する動作に関する動作信号を検出すると（ステップＳ１０３；ＹＥＳ）、ステップＳ１０４へ進む。
次いで、制御部８０はそのような動作信号の検出に基づき、ＥＥＰＲＯＭ８２に記憶された音声情報に基づく効果音をスピーカー３０から出力させる（ステップＳ１０４）。
そして、デジタルカメラ１００は、そのような効果音がスピーカー３０から出力される状態において、撮像部１０が被写界の動画像を撮像するとともに、集音部２０がその動画像撮像時の音声を集音する（ステップＳ１０５）。そして、撮像部１０の画像処理部１３は撮像した動画像に基づくデジタル画像信号（動画像データ）を制御部８０に出力するともに、集音部２０の音声処理部２２は集音した音声に基づくデジタル音声信号（音声データ）を制御部８０に出力する。制御部８０は、入力された動画像データ及び音声データを同期させて記録部４０のメモリーカードに記録する（ステップＳ１０６）。
つまり、集音部２０は、被写界の動画像撮像時の音声とともにスピーカー３０から出力される効果音を集音し、制御部８０は、被写界の動画像撮像時の音声とともにその効果音を記録部４０に記録することとなる。
そして、このような動画像撮影中、制御部８０が、レンズ１１が移動する動作に関する動作信号を検出し続ける間（ステップＳ１０７；ＹＥＳ）、ステップＳ１０５に戻り、動画像撮影が続けられる。
【００３４】
一方、制御部８０が、レンズ１１が移動する動作に関する動作信号の検出を行わなくなると（ステップＳ１０７；ＮＯ）、ステップＳ１０８へ進む。
そして、制御部８０は効果音の出力を停止し（ステップＳ１０８）、次いでステップＳ１０１に戻り、動画像撮影を続ける。
【００３５】
このように、デジタルカメラ１００は、ズーム調整や、フォーカス調整等に伴い、レンズ１１が移動されると、そのレンズ１１が移動する動作に関する動作信号に基づき、スピーカー３０から効果音を出力する。そして、集音部２０が、被写界の動画像撮像時の音声とともにその効果音を集音することとなり、被写界の音声ととも効果音は記録部４０に記録される。
つまり、動画像撮影中に、ズーム調整を行い、レンズ１１を移動させるためのレンズ駆動モータ１５の駆動音が発せられている間、スピーカー３０から効果音が出力されて、効果音をレンズ駆動モータの駆動音に被せるように記録部４０に記録する。
【００３６】
よって、動画像撮影後に、記録部４０に記録した動画像を再生出力する際、レンズ１１を移動させるためのレンズ駆動モータ１５の駆動音は、効果音によって掻き消されることにより、認識できないものとなる。従って、デジタルカメラ１００は、レンズ１１を移動させるためのレンズ駆動モータ１５の駆動音、レンズ１１が移動する動作音を不快音として認識されないように、動画像再生を行うことができる。
【００３７】
〔第２の実施の形態〕
次に、本発明の第２の実施の形態について説明する。なお、第１の実施の形態と同一部分には同一符号を付し、異なる部分についてのみ説明する。
図３に示されるように、デジタルカメラ２００は、被写界の画像、特に動画像を撮像する撮像部１０と、被写界の音声を集音する集音部２０と、撮像部１０が撮像した動画像のデータ及び集音部２０が集音した音声のデータを記録する記録部４０と、デジタルカメラ２００を操作する操作入力を行う操作部５０と、デジタルカメラ２００に電力を供給するバッテリ６０と、デジタルカメラ２００の動作に関する表示を行う画像表示装置７０と、上記各構成の動作制御を行う制御部８０とを備えている。
【００３８】
制御部８０のＥＥＰＲＯＭ８２は、レンズ１１が移動する動作に関する動作信号を検出するための動作信号検出プログラム８２ｂや、記録部４０に記録する音声データの入れ替えを行うための音声データ記録制御プログラム８２ｄ等を格納するプログラム記憶格納領域が設けられている。
制御部８０は、撮像部１０における動作信号や、操作部５０における操作信号等に基づく制御、判断等を行い、動作信号検出手段、音声データ記録制御手段として機能する。
より具体的に、制御部８０は、音声データ記録制御プログラム８２ｄに基づき音声データ記録制御手段として、検出したレンズ１１の移動に関する動作信号に基づき、例えば、その動作信号を検出している間、ＥＥＰＲＯＭ８２に記憶された音声情報に基づく効果音データを、集音部２０が集音した集音に基づく音声データと入れ替えて記録部４０に記録する制御動作を行う。
【００３９】
次に、前述のように構成されているデジタルカメラ２００の動画像の撮像動作について、図４に基づき説明する。
デジタルカメラ２００により動画像撮影が行われると、撮像部１０が被写界の動画像を撮像するとともに、集音部２０がその動画像撮像時の音声を集音する（ステップＳ２０１）。そして、撮像部１０の画像処理部１３は撮像した動画像に基づくデジタル画像信号（動画像データ）を制御部８０に出力するとともに、集音部２０の音声処理部２２は集音した音声に基づくデジタル音声信号（音声データ）を制御部８０に出力する。制御部８０は、入力された動画像データ及び音声データを同期させて記録部４０のメモリーカードに記録する（ステップＳ２０２）。
このような動画像撮影中、制御部８０が、レンズ１１が移動する動作に関する動作信号を検出しなければ（ステップＳ２０３；ＮＯ）、ステップＳ２０１に戻り、動画像撮影が続けられる。
【００４０】
一方、制御部８０が、レンズ１１が移動する動作に関する動作信号を検出すると（ステップＳ２０３；ＹＥＳ）、ステップＳ２０４へ進み、ステップＳ２０４においては、これまで同様に動画像撮影が行われる（ステップＳ２０４）。
次いで、撮像部１０の画像処理部１３は撮像した動画像に基づくデジタル画像信号（動画像データ）を制御部８０に出力する。そして、制御部８０は前述の動作信号の検出に基づき、ＥＥＰＲＯＭ８２に記憶された音声情報に基づく効果音データを、入力された動画像データと同期させるように、集音部２０が集音した集音に基づく音声データと入れ替えて記録部４０のメモリーカードに記録する。（ステップＳ２０５）。
つまり、制御部８０は、撮像部１０が撮像した動画像に基づく動画像データと、ＥＥＰＲＯＭ８２に記憶された音声情報に基づく効果音データをあわせて、記録部４０に記録することとなる。
そして、このような動画像撮影中、制御部８０が、レンズ１１が移動する動作に関する動作信号を検出し続ける間（ステップＳ２０６；ＹＥＳ）、ステップＳ２０４に戻り、動画像撮影が続けられる。
【００４１】
一方、制御部８０が、レンズ１１が移動する動作に関する動作信号の検出を行わなくなると（ステップＳ２０６；ＮＯ）、ステップＳ２０１に戻り、通常の動画像撮影を続ける。
【００４２】
このように、デジタルカメラ２００は、ズーム調整や、フォーカス調整等に伴い、レンズ１１が移動されると、そのレンズ１１が移動する動作に関する動作信号に基づき、ＥＥＰＲＯＭ８２に記憶された音声情報に基づく効果音データを、集音部２０が集音した集音に基づく音声データと入れ替えて記録部４０に記録する。
つまり、動画像撮影中に、ズーム調整を行い、レンズ１１を移動させるためのレンズ駆動モータ１５の駆動音が発せられている間、制御部８０は、撮像部が撮像した動画像に基づく動画像データにあわせて、ＥＥＰＲＯＭ８２に記憶された音声情報に基づく効果音データを記録部４０に記録する（図５参照）。
【００４３】
よって、レンズ１１を移動させるためのレンズ駆動モータ１５が駆動した際の撮影時の音声は、効果音と入れ替えられているので、動画像撮影後に、記録部４０に記録した動画像を再生出力する際、レンズ駆動モータ１５の駆動音が出力されることはないので、そのような駆動音は認識できないものとなる。従って、デジタルカメラ２００は、レンズ１１を移動させるためのレンズ駆動モータ１５の駆動音、レンズ１１が移動する動作音を不快音として認識されないように、動画像再生を行うことができる。
【００４４】
なお、ズーム調整ＳＷ５１を操作する際に、操作動作音が発生する場合があるので、動作信号の検出から所定のタイミング（例えば、スイッチ操作に必要な時間、数１０ｍｓｅｃから数１００ｍｓｅｃ）前から集音された音声データと、効果音データとを入れ替えるようにしてもよい。
【００４５】
なお、本実施の形態のデジタルカメラ２００の動画像の撮像動作における、ステップＳ２０４において、これまで同様に動画像撮影を行い、動画像の撮像と音声の集音を行うようにしたが、ここで集音部２０の機能を一時停止し、撮像時の音声の集音を行わないようにしてもよい。
【００４６】
〔第３の実施の形態〕
次に、本発明の第３の実施の形態について説明する。なお、第１、第２の実施の形態と同一部分には同一符号を付し、異なる部分についてのみ説明する。
図６に示されるように、デジタルカメラ３００は、被写界の画像、特に動画像を撮像する撮像部１０と、被写界の音声を集音する集音部２０と、撮像部１０が撮像した動画像のデータ及び集音部２０が集音した音声のデータを記録する記録部４０と、デジタルカメラ３００を操作する操作入力を行う操作部５０と、デジタルカメラ３００に電力を供給するバッテリ６０と、デジタルカメラ３００の動作に関する表示を行う画像表示装置７０と、上記各構成の動作制御を行う制御部８０とを備えている。
【００４７】
制御部８０のＥＥＰＲＯＭ８２は、レンズ１１が移動する動作に関する動作信号を検出するための動作信号検出プログラム８２ｂや、撮像部１０と集音部２０の動作を一時停止するための一時停止制御プログラム８２ｅ等を格納するプログラム記憶格納領域が設けられている。
制御部８０は、撮像部１０における動作信号や、操作部５０における操作信号等に基づく制御、判断等を行い、動作信号検出手段、一時停止制御手段として機能する。
制御部８０は、一時停止制御プログラム８２ｅに基づき一時停止制御手段として、検出したレンズ１１の移動に関する動作信号に基づき、例えば、その動作信号を検出している間、撮像部１０と集音部２０の動作を一時停止させ、動画像データや音声データを記録部４０へ記録することを一時停止する制御動作を行う。
【００４８】
次に、前述のように構成されているデジタルカメラ３００の動画像の撮像動作について、図７に基づき説明する。
デジタルカメラ３００により動画像撮影が行われると、撮像部１０が被写界の動画像を撮像するとともに、集音部２０がその動画像撮像時の音声を集音する（ステップＳ３０１）。そして、撮像部１０の画像処理部１３は撮像した動画像に基づくデジタル画像信号（動画像データ）を制御部８０に出力するとともに、集音部２０の音声処理部２２は集音した音声に基づくデジタル音声信号（音声データ）を制御部８０に出力する。制御部８０は、入力された動画像データ及び音声データを同期させて記録部４０のメモリーカードに記録する（ステップＳ３０２）。
このような動画像撮影中、制御部８０が、レンズ１１が移動する動作に関する動作信号を検出しなければ（ステップＳ３０３；ＮＯ）、ステップＳ３０１に戻り、動画像撮影が続けられる。
【００４９】
一方、制御部８０が、レンズ１１が移動する動作に関する動作信号を検出すると（ステップＳ３０３；ＹＥＳ）、ステップＳ３０４へ進む。
制御部８０は、そのような動作信号の検出に基づき、撮像部１０と集音部２０の動作を一時停止させ、動画像データや音声データを記録部４０へ記録することを一時停止する（ステップＳ３０４）。
【００５０】
そして、制御部８０は、レンズ１１が移動する動作に関する動作信号を検出し続ける間、動画像データや音声データを記録部４０へ記録することを一時停止する（ステップＳ３０５；ＹＥＳ）。
一方、制御部８０が、レンズ１１が移動する動作に関する動作信号を検出しなくなると（ステップＳ３０５；ＮＯ）、ステップＳ３０６へ進む。そして、撮像部１０と集音部２０の動作の一時停止を解除し（ステップＳ３０６）、ステップＳ３０１に戻り、動画像撮影を続ける。
【００５１】
このように、デジタルカメラ３００は、ズーム調整や、フォーカス調整等に伴い、レンズ１１が移動されると、そのレンズ１１が移動する動作に関する動作信号に基づき、撮像部１０と集音部２０の動作を一時停止する。そして、その動作信号を検出している間の撮像データ（動画像データと音声データ）を記録部４０へ記録することを一時停止する。
つまり、デジタルカメラ３００は、動画像撮影中に、ズーム調整が行われ、レンズ１１が移動する動作に関する動作信号が発せられる間に撮影された撮像データ（動画像データと音声データ）の記録は行わない（図８参照）。
【００５２】
よって、動画像撮影後に、記録部４０に記録した動画像を再生出力する際、レンズ１１を移動させるためのレンズ駆動モータ１５の駆動音が発せられている間の撮像データはなく、レンズ駆動モータ１５の駆動音が出力されることはないので、そのような駆動音は認識できないものとなる。従って、デジタルカメラ３００は、レンズ１１を移動させるためのレンズ駆動モータ１５の駆動音、レンズ１１が移動する動作音を不快音として認識されないように、動画像再生を行うことができる。
【００５３】
〔第４の実施の形態〕
次に、本発明の第４の実施の形態について説明する。なお、第１〜第３の実施の形態と同一部分には同一符号を付し、異なる部分についてのみ説明する。
図９に示されるように、デジタルカメラ４００は、被写界の画像、特に動画像を撮像する撮像部１０と、被写界の音声を集音する集音部２０と、撮像部１０が撮像した動画像のデータ及び集音部２０が集音した音声のデータを記録する記録部４０と、デジタルカメラ４００を操作する操作入力を行う操作部５０と、デジタルカメラ４００に電力を供給するバッテリ６０と、デジタルカメラ４００の動作に関する表示を行う画像表示装置７０と、上記各構成の動作制御を行う制御部８０とを備えている。
【００５４】
制御部８０のＥＥＰＲＯＭ８２は、レンズ１１が移動する動作に関する動作信号を検出するための動作信号検出プログラム８２ｂや、撮像データ（動画像データ、音声データ）毎に別のファイルとして記録するための別ファイル記録制御プログラム８２ｆ等を格納するプログラム記憶格納領域が設けられている。
制御部８０は、撮像部１０における動作信号や、操作部５０における操作信号等に基づく制御、判断等を行い、動作信号検出手段、別ファイル記録制御手段として機能する。
制御部８０は、別ファイル記録制御プログラム８２ｅに基づき別ファイル記録制御手段として、検出したレンズ１１の移動に関する動作信号に基づき、例えば、その動作信号を検出している間、動画像データや音声データを記録部４０へ記録することを一時停止し、その動作信号を検出する前の撮像データ（動画像データ、音声データ）と、動作信号を検出しなくなった後の撮像データ（動画像データ、音声データ）とを、別のファイルとして記録部４０に記録する制御動作を行う。
【００５５】
次に、前述のように構成されているデジタルカメラ４００の動画像の撮像動作について、図１０に基づき説明する。
デジタルカメラ４００により動画像撮影が行われると、撮像部１０が被写界の動画像を撮像するとともに、集音部２０がその動画像撮像時の音声を集音する（ステップＳ４０１）。そして、撮像部１０の画像処理部１３は撮像した動画像に基づくデジタル画像信号（動画像データ）を制御部８０に出力するとともに、集音部２０の音声処理部２２は集音した音声に基づくデジタル音声信号（音声データ）を制御部８０に出力する。制御部８０は、入力された動画像データ及び音声データを同期させて記録部４０のメモリーカードに記録する（ステップＳ４０２）。
このような動画像撮影中、制御部８０が、レンズ１１が移動する動作に関する動作信号を検出しなければ（ステップＳ４０３；ＮＯ）、ステップＳ４０１に戻り、動画像撮影が続けられる。
【００５６】
一方、制御部８０が、レンズ１１が移動する動作に関する動作信号を検出すると（ステップＳ４０３；ＹＥＳ）、ステップＳ４０４へ進む。
制御部８０は、そのような動作信号の検出に基づき、これまでに撮影した撮像データ（動画像データ、音声データ）を１つのファイルとして、記録部４０のメモリーカードに記録する（ステップＳ４０４）。
【００５７】
そして、制御部８０は、レンズ１１が移動する動作に関する動作信号を検出し続ける間、動画像データや音声データを記録部４０へ記録することを一時停止する（ステップＳ４０５；ＹＥＳ）。
一方、制御部８０が、レンズ１１が移動する動作に関する動作信号を検出しなくなると（ステップＳ４０５；ＮＯ）、ステップＳ４０１に戻り、動画像撮影を続ける。
【００５８】
このように、デジタルカメラ４００は、ズーム調整や、フォーカス調整等に伴い、レンズ１１が移動されると、そのレンズ１１が移動する動作に関する動作信号に基づき、撮像データ（動画像データ、音声データ）を１つのファイルとして記録部４０に記録する。そして、その動作信号を検出している間の撮像データを記録部４０へ記録することを一時停止する。
つまり、デジタルカメラ４００は、動画像撮影中に、ズーム調整が行われ、レンズ１１が移動する動作に関する動作信号が発せられる度に、その間に撮影された撮像データはそれぞれ別のファイルとして記録部４０に記録する（図１１参照）。
【００５９】
よって、動画像撮影後に、記録部４０に記録した動画像を再生出力する際、個々のファイルを連続して再生出力しても、レンズ１１を移動させるためのレンズ駆動モータ１５の駆動音が発せられている間の撮像データはなく、レンズ駆動モータ１５の駆動音が出力されることはないので、そのような駆動音は認識できないものとなる。従って、デジタルカメラ４００は、レンズ１１を移動させるためのレンズ駆動モータ１５の駆動音、レンズ１１が移動する動作音を不快音として認識されないように、動画像再生を行うことができる。
【００６０】
このように、本発明のデジタルカメラ１００、２００、３００、４００によれば、撮影を行い記録した動画像を再生する際に、レンズ１１が移動する動作音、レンズ駆動モータ１５の駆動音が不快音として認識されることなく、再生出力を行うことができる。
【００６１】
なお、以上の実施の形態においては、記録部４０は、カードスロット４１とカードスロット４１に着脱自在に備えられるメモリーカードＡの１組を例に説明したが、本発明はこれに限定されるものではなく、それらの数（組数）は任意である。例えば、カードスロット４１ａとカードスロット４１ａに着脱自在に備えられるメモリーカードＢに動画像データを記録し、カードスロット４１ｂとカードスロット４１ｂに着脱自在に備えられるメモリーカードＣに音声データを記録するなど、各データ毎にカードスロットやメモリーカードを使い分けてもよい。
また、記録部４０は、カードスロット４１、カードスロット４１に着脱自在に備えられるメモリーカードＡとしたが、本発明はこれに限定されるものではなく、記録部４０としての記録媒体は、光学系・磁気系の記憶媒体（例えば、光ディスク、磁気ディスク）など任意である。
【００６２】
また、以上の実施の形態においては、制御部８０にＥＥＰＲＯＭ８２を備える構成を例に説明したが、本発明はこれに限定されるものではなく、例えば、ＦＬＡＳＨ−ＲＯＭなどのように、電源（バッテリ６０）がオフになっても記憶が保持できるメモリであればよい。
【００６３】
また、画像処理部１３が制御部８０に出力した動画像データや、音声処理部２２が制御部８０に出力した音声データは、制御部８０のＲＡＭ８３に一時的に記憶され、所定のタイミング後に記憶部４０へ記憶するようにしてもよい。
【００６４】
また、その他、具体的な細部構造等についても適宜に変更可能であることは勿論である。
【００６５】
【発明の効果】
請求項１記載の発明によれば、動作信号検出手段によりレンズが移動する動作に関する動作信号が検出されると、効果音出力制御手段により音声情報記憶部に記憶された音声情報に基づく効果音が効果音出力部から出力される。そして、集音部はその効果音を、被写界の動画像撮像時の音声とともに集音することとなる。
よって、動画像撮影後に、記録部に記録した動画像を再生出力する際、レンズを移動させるためのレンズ駆動部の駆動音は、効果音によって掻き消されることにより、認識できないものとなる。従って、このようなカメラは、レンズを移動させるためのレンズ駆動部の駆動音、レンズが移動する動作音を不快音として認識されないように、動画像再生を行うことができる。
【００６６】
請求項２記載の発明によれば、請求項１に記載の発明と同様の作用を奏するとともに、集音部は、被写界の動画像撮像時の音声とともに効果音出力部から出力される効果音を集音し、記録部は、撮像部が撮像した動画像データと集音部が集音した音声データとを同期させて記録する。
よって、動画像撮影後に、記録部に記録した動画像を再生出力する際、レンズを移動させるためのレンズ駆動部の駆動音が含まれる動画像撮像時の音声には、効果音が被せられるように記録されているので、レンズ駆動部の駆動音は掻き消されるように、認識できないものとなる。従って、このようなカメラは、レンズを移動させるためのレンズ駆動部の駆動音、レンズが移動する動作音を不快音として認識されないように、動画像再生を行うことができる。
【００６７】
請求項３記載の発明によれば、動作信号検出手段によりレンズが移動する動作に関する動作信号が検出されると、音声データ記録制御手段によりその動作信号が検出されている間の音声データとして、音声情報記憶部に記憶された音声情報に基づく効果音データが記録部に記録される。そして、記録部には、動作信号検出手段によりレンズが移動する動作に関する動作信号が検出されている間は、撮像された動画像データに効果音データがあわせられて記録される。
よって、レンズを移動させるためのレンズ駆動部が駆動した際の撮影時の音声は、効果音と入れ替えられているので、動画像撮影後に、記録部に記録した動画像を再生出力する際、レンズ駆動部の駆動音が出力されることはないので、そのような駆動音は認識できないものとなる。従って、このようなカメラは、レンズを移動させるためのレンズ駆動部の駆動音、レンズが移動する動作音を不快音として認識されないように、動画像再生を行うことができる。
【００６８】
請求項４記載の発明によれば、請求項３に記載の発明と同様の作用を奏するとともに、音声データ記録制御手段は、集音部が集音した音声データと、音声情報記憶部に記憶された音声情報に基づく効果音データとを入れ替えて、記録部に記録する。
よって、集音部が集音したレンズ駆動部の駆動音が含まれる動画像撮像時の音声は、音声情報記憶部に記憶された音声情報に基づく効果音と入れ替えられているので、動画像撮影後に、記録部に記録した動画像を再生出力する際、レンズ駆動部の駆動音が出力されることはないので、そのような駆動音は認識できないものとなる。従って、このようなカメラは、レンズを移動させるためのレンズ駆動部の駆動音、レンズが移動する動作音を不快音として認識されないように、動画像再生を行うことができる。
【００６９】
請求項５記載の発明によれば、動作信号検出手段によりレンズが移動する動作に関する動作信号が検出されている間、一時停止制御手段により撮像部と集音部の動作がともに一時停止される。つまり、動作信号検出手段がその動作信号を検出する間の動画像データ及び集音データとは、記録部に記録されないこととなる。
よって、動画像撮影後に、記録部に記録した動画像を再生出力する際、レンズを移動させるためのレンズ駆動部の駆動音が発せられている間の撮像データ（動画像データ、音声データ）はなく、レンズ駆動部の駆動音が出力されることはないので、そのような駆動音は認識できないものとなる。従って、このようなカメラは、レンズを移動させるためのレンズ駆動部の駆動音、レンズが移動する動作音を不快音として認識されないように、動画像再生を行うことができる。
【００７０】
請求項６記載の発明によれば、動作信号検出手段によりレンズが移動する動作に関する動作信号が検出されると、別ファイル記録制御手段によりこれまでに撮像部が撮像した動画像データ及び集音部が集音した音声データを、第１のファイルとして記録部へ記録する。そして、動作信号検出手段によりその動作信号が検出されなくなった際に、それから撮像部が撮像する動画像データ及び集音部が集音する音声データを、第２のファイルとして記録部へ記録する。つまり、動作信号検出手段がその動作信号を検出する前の動画像データ及び集音データと、検出しなくなった後の動画像データ及び集音データとを、別のファイルとして記録部へ記録する。そして、記録部には、動作信号検出手段によりレンズが移動する動作に関する動作信号が検出されている間は、動画像データ及び集音データは記録されず、その前後の動画像データ及び集音データが、別ファイルとして記録される。
よって、動画像撮影後に、記録部に記録した動画像を再生出力する際、個々のファイルを連続して再生出力しても、レンズを移動させるためのレンズ駆動部の駆動音が発せられている間の撮像データ（動画像データ、音声データ）はなく、レンズ駆動部の駆動音が出力されることはないので、そのような駆動音は認識できないものとなる。従って、このようなカメラは、レンズを移動させるためのレンズ駆動部の駆動音、レンズが移動する動作音を不快音として認識されないように、動画像再生を行うことができる。
【図面の簡単な説明】
【図１】本発明にかかる第１の実施の形態におけるデジタルカメラの要部構成を示すブロック図である。
【図２】本発明の第１の実施の形態におけるデジタルカメラの動画像の撮影動作を示すフローチャートである。
【図３】本発明にかかる第２の実施の形態におけるデジタルカメラの要部構成を示すブロック図である。
【図４】本発明の第２の実施の形態におけるデジタルカメラの動画像の撮影動作を示すフローチャートである。
【図５】本発明の第２の実施の形態におけるデジタルカメラが記録する撮像データを説明する模式図である。
【図６】本発明にかかる第３の実施の形態におけるデジタルカメラの要部構成を示すブロック図である。
【図７】本発明の第３の実施の形態におけるデジタルカメラの動画像の撮影動作を示すフローチャートである。
【図８】本発明の第３の実施の形態におけるデジタルカメラが記録する撮像データを説明する模式図である。
【図９】本発明にかかる第４の実施の形態におけるデジタルカメラの要部構成を示すブロック図である。
【図１０】本発明の第４の実施の形態におけるデジタルカメラの動画像の撮影動作を示すフローチャートである。
【図１１】本発明の第４の実施の形態におけるデジタルカメラが記録する撮像データを説明する模式図である。
【符号の説明】
１０    撮像部
１１    レンズ
１２    ＣＣＤ
１３    画像処理部
１４    レンズ駆動回路
１５    レンズ駆動モータ（レンズ駆動部）
２０    集音部
２１    マイク
２２    音声処理部
３０    スピーカー（効果音出力部）
４０    記録部
５０    操作部
５１    ズーム調整ＳＷ
８０    制御部（動作信号検出手段、効果音出力制御手段、音声データ記録制御手段、一時停止制御手段、別ファイル記録制御手段）
８１    ＣＰＵ
８２    ＥＥＰＲＯＭ
８２ａ  音声情報記憶部
８２ｂ  動作信号検出プログラム（動作信号検出手段）
８２ｃ  効果音出力制御プログラム（効果音出力制御手段）
８２ｄ  音声データ記録制御プログラム（音声データ記録制御手段）
８２ｅ  一時停止制御プログラム（一時停止制御手段）
８２ｆ  別ファイル記録制御プログラム（別ファイル記録制御手段）
８３    ＲＡＭ
１００、２００、３００、４００  デジタルカメラ（カメラ）
【図１】
2004274105.tif 000003
【図２】
2004274105.tif 000004
【図３】
2004274105.tif 000005
【図４】
2004274105.tif 000006
【図５】
2004274105.tif 000007
【図６】
2004274105.tif 000008
【図７】
2004274105.tif 000009
【図８】
2004274105.tif 000010
【図９】
2004274105.tif 000011
【図１０】
2004274105.tif 000012
【図１１】
2004274105.tif 000013